(57)【要約】【課題】【解決手段】  本発明はスペースを拡大できる伸展構造を公開し、下端面に若干の油圧サポート脚が設けられる一つの車体と；各開口の下部にそれぞれ二つの水平ロッドが設けられ、伸縮可能な構造であり、全部車体の両側に折り畳む四つの水平ロッドと；二つのルーフプレートと；二つのベースプレートと；二つの拡張サイドパネルとを含み、各拡張サイドパネルは、第1サイドパネル、第2サイドパネルと第3サイドパネルとを含み、第1サイドパネルの両側はそれぞれ第2サイドパネルの一つの側と第3サイドパネルの一つの側とにヒンジ止めされ、第2サイドパネルのほかの側と第3サイドパネルのほかの側とはそれぞれ開口の両側にヒンジ止めされる；本発明により提供されたスペースを拡大できる伸展構造が実際の使用空間を有効に拡大し、十分に折り畳み及び使用スペースを拡大する機能に対するニーズを満たすことができ、すなわち、折り畳み状態で余分なスペースを占めなくて、位置決められ、配置及び拡張された後に、比較的に高い住宅機能に対するニーズを満たすことができ、それに繰り返し使用される。【選択図】  図５
2019506325.tif 000002
【特許請求の範囲】
【請求項１】
二つの側面にそれぞれ開口が設けられ、下端面に若干の油圧サポート脚が設けられる一つの車体と、
それぞれに一つの開口の上縁にヒンジ止めされ、且つ折り畳み可能な構造である二つのルーフプレートと、
それぞれに一つの開口の下縁にヒンジ止めされ、且つ折り畳み可能な構造である二つのベースプレートと、
二つの拡張側部と、
を具備し、
前記拡張側部の各々は、第１のサイドパネルと、第２のサイドパネルと、第３のサイドパネルとを含み、前記第１のサイドパネルの二つの側面がそれぞれ前記第２のサイドパネルの一つの側面と前記第３のサイドパネルの一つの側面とにヒンジ止めされ、前記第２のサイドパネルの他の一つの側面と前記第３のサイドパネルの他の一つの側面とがそれぞれ前記開口の両側にヒンジ止めされ；
前記ルーフプレートと前記ベースプレートと前記拡張側部との展開および折り畳みの制御に用いられ、四つの油圧サポート脚を制御することができる車体駐車水平制御システムを含むことを特徴とするスペースを拡大できる伸展構造。
【請求項２】
前記車体において、ルーフの両側にそれぞれ一つの片面翼板が設けられ、前記片面翼板の各々の下部に水槽がそれぞれ設けられ、前記水槽の各々は前記車体のシャーシの下部に繋がることを特徴とする請求項１記載のスペースを拡大できる伸展構造。
【請求項３】
前記各開口の下側にそれぞれ二つの水平ロッドが設けられる四つの水平ロッドは全部、前記車体の二つの側面で折り畳み可能な伸縮構造を有し、展開時と同じ水平面上に位置し、前記各ベースプレートが展開される時に、それぞれ前記二つの水平ロッド上に架設されることを特徴とする請求項１記載のスペースを拡大できる伸展構造。
【請求項４】
前記ベースプレートを展開した状態で、その下部に高さを調節可能なサポートが設けられ、前記サポートは電気的なサポートまたは手動的なサポートまたは油圧サポートであることを特徴とする請求項１記載のスペースを拡大できる伸展構造。
【請求項５】
前記第２のサイドパネルと前記第３のサイドパネルとのそれぞれを、少なくとも一つの垂直方向に沿って軸方向に折り畳むことができ、そして前記ルーフプレートと前記ベースプレートとのそれぞれを、少なくとも一つの水平方向に沿って軸方向に折り畳むことができることを特徴とする請求項１記載のスペースを拡大できる伸展構造。
【請求項６】
前記ルーフプレートと、前記ベースプレートと、前記拡張側部とはそれぞれに油圧シリンダまたは電動スクリューロッドまたはチェーンまたはワイヤロープまたはラック・アンド・ピニオンの駆動機構により、展開されるまたは折り畳まれることを特徴とする請求項１記載のスペースを拡大できる伸展構造。
【請求項７】
前記ルーフプレートは一つの日よけテントあるいは一つの薄膜太陽電池パネルを含むことを特徴とする請求項１記載のスペースを拡大できる伸展構造。
【請求項８】
前記車体の内部に赤外線検知システムが設けられ、前記赤外線検知システムにある赤外線のプローブが前記ルーフプレートまたは前記ベースプレートまたは前記拡張側部に設けられることを特徴とする請求項１記載のスペースを拡大できる伸展構造。
【請求項９】
前記車体の内部に周囲パノラマビデオ監視システムが設けられ、前記周囲パノラマビデオ監視システムにある監視プローブが前記ルーフプレートまたは前記ベースプレートまたは前記拡張側部に設けられることを特徴とする請求項１記載のスペースを拡大できる伸展構造。
【請求項１０】
前記車体の内部は空間を仕切るための若干の膨張可能な壁を含むことを特徴とする請求項１記載のスペースを拡大できる伸展構造。
【発明の詳細な説明】
【技術分野】
【０００１】
本発明は伸展構造の技術分野に関し、特にスペースを拡大できる伸展構造に関するものである。
【背景技術】
【０００２】
生活空間は、その容積が立っている平面により取り囲まれることによって決まるものであり、立っている平面を移動することができないため、その使用できる空間が制限され、より大きな快適な生活空間のニーズを満たすことができない。
【発明の概要】
【０００３】
上記の問題に対して、本発明の目的はスペースを拡大できる伸展構造を提供することにある。
【０００４】
上記の目的を実現するため、本発明により採用された技術案は以下通りであり、すなわち、
スペースを拡大できる伸展構造において、二つの側面にそれぞれ開口が設けられ、下端面に若干の油圧サポート脚が設けられる一つの車体と；それぞれに一つの開口の上縁にヒンジ止めされ、且つ折り畳み可能な構造である二つのルーフプレートと；それぞれに一つの開口の下縁にヒンジ止めされ、且つ折り畳み可能な構造である二つのベースプレートと；二つの拡張側部と、前記拡張側部の各々が、第１のサイドパネルと、第２のサイドパネルと、第３のサイドパネルとを含み、前記第１のサイドパネルの二つの側面がそれぞれ前記第２のサイドパネルの一つの側面と前記第３のサイドパネルの一つの側面とにヒンジ止めされ、前記第２のサイドパネルの他の一つの側面と前記第３のサイドパネルの他の一つの側面とがそれぞれ前記開口の両側にヒンジ止めされ；前記ルーフプレートと前記ベースプレートと前記拡張側部との展開および折り畳みを制御することに用いられ、四つの油圧サポート脚も制御できる車体駐車水平制御システムとを含む。
【０００５】
前記スペースを拡大できる伸展構造において、前記車体のルーフの両側にそれぞれ一つの片面翼板が設けられ、各片面翼板の下部にそれぞれ水槽が設けられ、各水槽は前記車体のシャーシの下部にそれぞれ繋がる。
【０００６】
前記スペースを拡大できる伸展構造において、前記開口の各々の下側にそれぞれ二つの水平ロッドが設けられる四つの水平ロッドは全部、上記の車体の二つの側面で折り畳み可能な伸縮構造を有し、展開時に同じ水平面上に位置し、前記各ベースプレートがそれぞれ展開される時に、それぞれ前記二つの水平ロッド上に架設される。
【０００７】
前記スペースを拡大できる伸展構造において、前記ベースプレートを展開した状態で、その下部に高さを調節可能なサポートが設けられ、前記サポートは電気的なサポートまたは手動的なサポートまたは油圧サポートである。
【０００８】
前記スペースを拡大できる伸展構造において、前記第２のサイドパネルと前記第３のサイドパネルとのそれぞれを、少なくとも一つの垂直方向に沿って軸方向に折り畳むことができ、そして前記ルーフプレートとベースプレートとのそれぞれを、少なくとも一つの水平方向に沿って軸方向に折り畳むことができる。
【０００９】
前記スペースを拡大できる伸展構造において、前記ルーフプレートと、前記ベースプレートと、前記拡張側部とはそれぞれに油圧シリンダまたは電動スクリューロッドまたはチェーンまたはワイヤロープまたはラック・アンド・ピニオンの駆動機構により、展開されるまたは折り畳まれる。
【００１０】
前記スペースを拡大できる伸展構造において、前記ルーフプレートは１つの日よけテントまたは１つの薄膜太陽電池パネルを含むことができる。
【００１１】
前記スペースを拡大できる伸展構造において、前記車体の内部に赤外線検知システムが設けられ、前記赤外線検知システムにある赤外線のプローブが前記ルーフプレートまたは前記ベースプレートまたは前記拡張側部に設けられる。
【００１２】
前記スペースを拡大できる伸展構造において、前記車体の内部に周囲パノラマビデオ監視システムが設けられ、前記周囲パノラマビデオ監視システムにある監視プローブが前記ルーフプレートまたは前記ベースプレートまたは前記拡張側部に設けられる。
【００１３】
前記スペースを拡大できる伸展構造において、前記車体の内部は空間を仕切るための若干の膨張可能な壁を含む。
【００１４】
本発明は上記の技術を採用したため、既存の技術を比較して以下の効果がある。すなわち、
本発明により提供されたスペースを拡大できる伸展構造が実際の使用空間を有効に拡大し、十分に折り畳むことができ、使用スペースを拡大する機能に対するニーズを満たすことができ、すなわち、折り畳み状態で余分なスペースを占めなくて、位置決められ、配置及び拡張された後に、比較的に高い住宅機能に対するニーズを満たすことができ、それに繰り返し使用される。
【図面の簡単な説明】
【００１５】
【図１】図１は、本発明の実施形態に係るスペースを拡大できる伸展構造の全体を示す図である。
【図２】図２は、本発明の実施形態に係るスペースを拡大できる伸展構造の一部を展開する図である。
【図３】図３は、本発明の実施形態に係るスペースを拡大できる伸展構造を更に展開する図である。
【図４】図４は、本発明の実施形態に係るスペースを拡大できる伸展構造を完全的に展開する図である。
【図５】図５は、本発明の実施形態に係るスペースを拡大できる伸展構造の屋根あるテラスを示す図である。
【図６】図６は、本発明の実施形態に係るスペースを拡大できる伸展構造の第２の展開図である。
【図７】図７は、本発明の実施形態に係るスペースを拡大できる伸展構造の第２の更なる展開図である。
【発明を実施するための形態】
【００１６】
以下の記述説明は、付図と具体的な実施形態を参照しながら本発明をさらに詳細に説明するものであるが、本発明を限定するものではない。
【００１７】
図１は本発明に係るスペースを拡大できる伸展構造を示す図である、図２は本発明に係るスペースを拡大できる伸展構造の一部を展開する図である。図１と図２に示すように、一種類の好ましい実施形態であるスペースを拡大できる伸展構造は、車体1と、二つのルーフプレート2と、二つのベースプレート3とを含み、車体1の両側にそれぞれ一つの開口が設けられ、車体1の下端面に若干の油圧サポート脚が設けられる。二つのルーフプレート2はそれぞれ一つの開口の上縁にヒンジ止めされ、二つのルーフプレート2は共に折り畳み可能な構造である。二つのベースプレート3はそれぞれ一つの開口の  下縁にヒンジ止めされ、二つのベースプレート3は共に折り畳み可能な構造である。
【００１８】
また、好ましい実施形態では、スペースを拡大できる伸展構造は更に二つのベースプレート3を支持するサポート構造を含む。
【００１９】
図３は本発明のスペースを拡大できる伸展構造の更なる展開図である。図３に示すように、一種類の二つのベースプレート3のサポート構造は四つの水平ロッド11を含み、各開口の下側にそれぞれ二つの水平ロッド11が設けられ、四つの水平ロッド11は全て伸縮可能な構造であり、それに、四つの水平ロッド11は共に車体の両側に折り畳まれるようになっている。なお、四つの水平ロッド11の下にも若干の折り畳み可能な油圧サポート脚が設けられる。手動調節の方式で、水平ロッド上のサポート点が展開エリアにおける接合点に対する水平状態を実現する。四つの水平ロッド11は折り畳まれた時に、バンパーとして役割を果たす。ベースプレート3の展開時において、各ベースプレート3はそれぞれ二つの水平ロッド11上に架設される。
【００２０】
図６は本発明に係るスペースを拡大できる伸展構造の第2の展開図であり、図７は本発明に係るスペースを拡大できる第2の更なる展開図である。図６と図７には、他の一種類の二つのベースプレート3を支持するためのサポート31を含むサポート構造が示されている。ベースプレート3は展開の状態では、その下側の面に高さ調可能なサポート31が設けられ、その中、サポート31は電動サポートまたは手動サポートである。
【００２１】
図４は本発明に係るスペースを拡大できる伸展構造を完全に展開したときの状態を示す図である。
【００２２】
また、好ましい実施形態では、スペースを拡大できる伸展構造は、更に二つの拡張側部を含み、各拡張側部は、第１のサイドパネル41、第２のサイドパネル42と第３のサイドパネル43を含み、第１のサイドパネル41の両側はそれぞれ第２のサイドパネル42の一つの側と第３のサイドパネル43の一つの側とにヒンジ止めされ、第２のサイドパネル42の他の側と第３のサイドパネル43の他の側とはそれぞれ開口の両側にヒンジ止めされる。使用時には、上述したルーフプレート、ベースプレート、拡張側部のサイドパネルをそれぞれ展開することにより、住宅スペースが拡大される。一方、非使用時には、それらを折り畳んで立っている平面内部に隠して、余分なスペースを占有しない。その中、ヒンジ方式はヒンジ継手にしてもよくて、そのヒンジ継手はトルクが200kg-ｍより多くて、反転角度が0-180度にある要求に満たす。
【００２３】
また、好ましい実施形態では、スペースを拡大できる伸展構造はさらに、車体駐車水平制御システムを含み、この車体駐車水平制御システムはルーフプレート2、ベースプレート3と拡張側部の展開及び折り畳みを制御すことができる。
【００２４】
また、車体駐車水平制御システムは、四つの油圧サポート脚も制御することができる。車体駐車水平制御システムにより、油圧サポート脚の長さを自動に調節でき、地面に対するサポート及び車体水平状態を実現することができる。
【００２５】
さらに、好ましい実施形態では、車体1のルーフの両側にそれぞれ一つの片面翼板12が設けられ、各片面翼板12の下部に一つの水槽がそれぞれ設けられ、各水槽が全部車体1のシャーシの下部に繋がり、ルーフに雨水を案内するニーズを解決している。電動方式で、片面翼板12を展開した後、ベースプレート3とルーフプレート2を展開して、ルーフプレート2を展開して完成した後、使用状態での雨よけ及び風よけのニーズに満たすため、翼板12を指定位置に下降させる。
【００２６】
さらに、好ましい実施形態では、第２のサイドパネル42と第３のサイドパネル43とは全部少なくとも垂直方向に沿って軸方法に折り畳まれ、第2サイドパネル42と第3サイドパネル43とは垂直方向に沿って軸方法に折り畳まれた後に、車体1と一体化する。
【００２７】
さらに、好ましい実施形態では、ルーフプレート2とベースプレート3とは全て一つの水平方向に沿って軸方向に折り畳まれ、ルーフプレート2とベースプレート3とは水平方向に沿って軸方向に折り畳まれた後に、車体1と一体化する。
【００２８】
以上述べたのはただ本発明の好ましい実施形態だけで、本発明の実施方式及び保護範囲を制限するものではない。
【００２９】
本発明は以上に基づいて以下の実施形態がさらにある。すなわち、本発明の更なる実施形態では、引き続き図４を参照しながら説明する。
【００３０】
ルーフプレート2、ベースプレート3、拡張サイドパネルとはそれぞれ油圧シリンダまたは電動スクリューロッドまたはチェーンまたはワイヤロープまたはラック・アンド・ピニオンの駆動機構により、展開されるかまたは折り畳まれる。
【００３１】
本発明の更なる実施形態では、ルーフプレート2は一つの日よけテントあるいは一つの薄膜太陽電池パネルを含む。
【００３２】
本発明の更なる実施形態では、車体1の内部に赤外線検知システムが設けられ、赤外線検知システムにある赤外線のプローブルーフプレートまたはベースプレートまたは拡張側部に設けられる。赤外線検知システムは安全な生活のニーズを満たす同時に、ビデオシステム信号を運転中にリアルタイムでトラクターキャブに送信することができることで、運転手はトラクターの周辺環境状況を直接見ることができる。
【００３３】
本発明の更なる実施形態では、車体1の内部に周囲パノラマビデオ監視システムが設けられ、周囲パノラマビデオ監視システムにある監視プローブがルーフプレートまたはベースプレートまたは拡張側部に設けられる。
【００３４】
本発明の更なる実施形態では、車体1の内部は空間を仕切るための若干の膨張可能な壁を含む。車体1の内部の空間を仕切ることに用いられるほか、最小の厚さまで収納される。
【００３５】
図５は本発明に係るスペースを拡大できる伸展構造の屋根のあるテラスの展開図である。図５を参照しながら更なる実施形態を説明する。
【００３６】
本発明の更なる実施形態では、戸口側の寝室の端面のキャビネットには、屋根のあるテラスを増設し、その屋根のあるテラスを使用する場合、当該の寝室を畳んで、屋外に屋根のあるテラスを形成し、異なる空間の利用需要を満たす。
【００３７】
以上述べたのはただ本発明の実施形態だけで、本発明の実施方式及び保護範囲を制限するものではない。当業者には、本発明の説明書及び付図により作られた置換と均等及び明らかな変更案から取得した方案は全て本発明の保護範囲内に含まれると意識すべきである。
【符号の説明】
【００３８】
1、車体；11、水平ロッド；12、片面翼板；2、ルーフプレート；
3、ベースプレート；31、サポート；41、第１のサイドパネル；42、第２のサイドパネル；43、第３のサイドパネル；5、屋根あるテラス。
【図１】
2019506325.tif 000003
【図２】
2019506325.tif 000004
【図３】
2019506325.tif 000005
【図４】
2019506325.tif 000006
【図５】
2019506325.tif 000007
【図６】
2019506325.tif 000008
【図７】
2019506325.tif 000009
【国際調査報告】
2019506325.tif 000010
2019506325.tif 000011
2019506325.tif 000012
2019506325.tif 000013
2019506325.tif 000014
2019506325.tif 000015